(57)【要約】【課題】  ピストン及び主弁が傾斜し難い減圧弁を提供する。【解決手段】  弁ケーシング１で入口２と弁口５と出口３を形成し、弁口５を開閉する主弁６を弁ケーシング１内に配置し、主弁６を操作するピストン７を弁ケーシング１内に配置し、ピストン７の上面に一次側圧力を作用させ下面に二次側圧力を作用させてピストン７を変位させることにより主弁６を操作して弁口５を開閉することにより二次側圧力を設定圧力に保つものであって、主弁６の下部弁軸６ａを軸方向に案内する案内孔１ｂを弁ケーシング１に設け、ピストン７の下面の弁口５から噴出した流体が直進する噴出流体の中心軸上に下方に突出した半球部７ｂを設けたものにおいて、ピストン７の半球部７ｂの中心軸上に凹部７ａを設け、ピストン７の半球部７ｂの凹部７ａに主弁６の上部弁軸６ｂを嵌め合わせたる。【選択図】      図１
2011165149.tif 000002
【特許請求の範囲】
【請求項１】
弁ケーシングで入口と弁口と出口を形成し、弁口を開閉する主弁を弁ケーシング内に配置し、主弁を操作するピストンを弁ケーシング内に配置し、ピストンの上面に一次側圧力を作用させ下面に二次側圧力を作用させてピストンを変位させることにより主弁を操作して弁口を開閉することにより二次側圧力を設定圧力に保つものであって、主弁の下部弁軸を軸方向に案内する案内孔を弁ケーシングに設け、ピストンの下面の弁口から噴出した流体が直進する噴出流体の中心軸上に下方に突出した半球部を設けたものにおいて、ピストンの半球部の中心軸上に凹部を設け、ピストンの半球部の凹部に主弁の上部弁軸を嵌め合わせたことを特徴とする減圧弁。
【発明の詳細な説明】
【技術分野】
【０００１】
本発明は、蒸気や圧縮空気や液体等の流体配管系に取り付けて、弁の出口側すなわち弁の二次側の流体圧力を一定の設定圧力に保つ減圧弁に関する。
【背景技術】
【０００２】
従来の減圧弁は、例えば特許文献１に開示されている。これは、弁ケーシングで入口と弁口と出口を形成し、弁口を開閉する主弁を弁ケーシング内に配置し、主弁を操作するピストンを弁ケーシング内に配置し、ピストンの上面に一次側圧力を作用させ下面に二次側圧力を作用させて主弁を操作することにより弁口を開閉して二次側圧力を設定圧力に保つものであって、主弁の下部弁軸を軸方向に案内する案内孔を弁ケーシングに設け、ピストンの下面の弁口から噴出した流体が直進する噴出流体の中心軸上に下方に突出した半球部を設けたものである。
【先行技術文献】
【特許文献】
【０００３】
【特許文献１】実開平５−８６２３号公報
【発明の概要】
【発明が解決しようとする課題】
【０００４】
上記従来の減圧弁は、ピストンの下面に半球部を設けたことによりピストンが傾斜し難いという優れたものである。しかしながら、主弁が傾斜し易いという問題点があった。すなわち、主弁は下部弁軸が弁ケーシングの案内孔で軸方向に案内されるだけの片持ち構造であるためである。
【０００５】
したがって本発明が解決しようとする課題は、ピストン及び主弁が傾斜し難い減圧弁を提供することである。
【課題を解決するための手段】
【０００６】
上記の課題を解決するために、本発明の減圧弁は、弁ケーシングで入口と弁口と出口を形成し、弁口を開閉する主弁を弁ケーシング内に配置し、主弁を操作するピストンを弁ケーシング内に配置し、ピストンの上面に一次側圧力を作用させ下面に二次側圧力を作用させてピストンを変位させることにより主弁を操作して弁口を開閉することにより二次側圧力を設定圧力に保つものであって、主弁の下部弁軸を軸方向に案内する案内孔を弁ケーシングに設け、ピストンの下面の弁口から噴出した流体が直進する噴出流体の中心軸上に下方に突出した半球部を設けたものにおいて、ピストンの半球部の中心軸上に凹部を設け、ピストンの半球部の凹部に主弁の上部弁軸を嵌め合わせたことを特徴とするものである。
【発明の効果】
【０００７】
本発明によれば、主弁は下部弁軸が弁ケーシングの案内孔により軸方向に案内され、上部弁軸が傾斜し難いピストンにより保持され、両持ち構造により傾き難くなる。そのため、ピストン及び主弁が傾斜し難い減圧弁を提供できるという効果を奏する。
【図面の簡単な説明】
【０００８】
【図１】本発明の実施の形態に係わる減圧弁の断面図である。
【発明を実施するための形態】
【０００９】
以下、本発明の実施の形態について、図１を参照して説明する。弁ケーシング１に入口２と出口３を形成し、弁ケーシング１にねじ結合した弁座部材４に弁口５を形成する。弁口５を開閉する主弁６をコイルバネ１７で閉弁方向に付勢して配置する。主弁６の下部弁軸６ａを弁ケーシング１の底壁１ａの案内孔１ｂにより軸方向に案内する。主弁６の上部弁軸６ｂをピストン７の凹部７ａに嵌め合わせる。ピストン７はその下面の弁口５から噴出した流体が直進する噴出流体の中心軸上に下方に突出した半球部７ｂを有し、半球部７ｂの中心軸上に凹部７ａを設けている。ピストン７の上部のピストン室９を連通路１３を介してパイロット弁室１４と接続する。パイロット弁室１４は入口圧連通路３２を介して入口２と接続する。ピストン７の外周に環状の溝を設けてシリンダ２９との間の気密を保つシール部材としてのピストンリング２６を配置する。ピストン７にその上面と下面を連通するオリフィス２７を開ける。
【００１０】
入口圧連通路３２と連通路１３の間のパイロット弁室１４に入口圧連通路３２と連通路１３とを連通遮断するパイロット弁１２を配置する。パイロット弁１２の上端は受圧応動部としてのダイヤフラム２１の下面中央部に当接する。ダイヤフラム２１の上下動に応じてパイロット弁１２を開閉して入口圧連通路３２と連通路１３とを連通遮断する。ダイヤフラム２１の一面にはダイヤフラム押え２２を介して圧力設定バネ２３の弾性力が作用している。圧力設定バネ２３の上端には鋼球２５を介して圧力調節ねじ２４を取り付ける。ダイヤフラム２１の他面の下面室３０には弁口５の二次側から連通する二次圧検出通路３１からの二次側圧力が作用している。
【００１１】
上記の減圧弁の動作は次の通りである。出口３側の圧力が圧力設定バネ２３で設定した設定圧力よりも低下すると、圧力設定バネ２３のバネ力によりダイヤフラム２１を介してパイロット弁１２が開弁され、入口２側の高圧流体が連通路３２，１３を通ってピストン７の上面に作用してピストン７が下方へ変位する。ピストン７の変位により主弁６が弁座部材４から離座し弁口５を開口して出口３側に入口２側の高圧流体を補給することにより、出口３側の圧力が設定圧力まで上昇する。設定圧力に達するとダイヤフラム２１を上方へ押し上げる荷重と、圧力設定バネ２３による押し下げ荷重がバランスしてパイロット弁１２が閉弁し、ピストン室９の高圧流体がオリフィス２７から出口３側に抜けてピストン７が上方へ変位する。ピストン７の変位により主弁６が弁座部材４に着座して弁口５を閉止する。
【産業上の利用可能性】
【００１２】
本発明は、流体配管系に取り付けて、弁の出口側すなわち弁の二次側の流体圧力を一定の設定圧力に保つ減圧弁に利用することができる。
【符号の説明】
【００１３】
１  弁ケーシング
１ａ  底壁
１ｂ  案内孔
２  入口
３  出口
４  弁座部材
５  弁口
６  主弁
６ａ  下部弁軸
６ｂ  上部弁軸
７  ピストン
７ａ  凹部
７ｂ  半球部
１２  パイロット弁
２１  ダイヤフラム
２３  圧力設定バネ
２４  圧力調節ねじ
【図１】
2011165149.tif 000003